(57)【要約】【課題】無端状のフィルム上に植毛された導電性繊維を感光体に押し付けないようにして、この感光体を帯電し、帯電むらの発生を抑制する帯電装置及び画像形成装置を提供する。【解決手段】フィルム２１に静電植毛されている導電性繊維２２は、回転する感光体１０と静電吸着力により接触し、この感光体１０の回転と連動して、給電部材２３とともに回転する。導電性繊維２２は、感光体１０の表面との間に、寝たような状態の接触する領域Ｋを有している。この接触する領域Ｋは導電性繊維２２に対する電圧の印加が低いとき、接触する領域Ｋａのようになり、導電性繊維２２に対する電圧の印加が高いとき、接触する領域Ｋｂのようになる。初期において、このような接触する領域Ｋｂとなるように、給電部材２３は、第１の電圧を導電性繊維２２に印加する。そして、給電部材２３は、所定の代用値以上のときに第２の電圧を導電性繊維２２に印加する。【選択図】図２
2014021468.tif 000002
【特許請求の範囲】
【請求項１】
無端状のフィルムと、前記フィルムの表面に導電性繊維が植毛され、前記導電性繊維は、回転する感光体と接触するように配置され、前記感光体の回転と連動して回転し、前記導電性繊維に電圧を印加する給電部材とを有し、
前記導電性繊維は、静電吸着力により、前記感光体の表面と接触し、当該接触する領域において前記感光体を帯電し、
前記給電部材は、前記導電性繊維と前記感光体の表面との累積接触時間に対応した代用値が所定の代用値未満のときは第１の電圧を印加し、前記代用値が前記所定の代用値以上のときは前記第１の電圧と比較して低い第２の電圧を印加する
ことを特徴とする帯電装置。
【請求項２】
第１の電圧をＶとし、前記導電性繊維の長さをＰ、断面半径をｒ、ヤング率をＥとし、前記感光体と前記導電性繊維の接触している部分の植毛本数をＦ、ニップ幅をＮ、ニップ軸方向長さをＬとし、感光体の誘電率をε’、真空の誘電率をε０、感光体の膜厚をｄ、としたときに、前記第１の電圧Ｖは、以下の数１に示す式を満たすような電圧である
ことを特徴とする請求項１に記載の帯電装置。
【数１】
2014021468.tif 000006
【請求項３】
前記フィルムの内部に設けられ、前記フィルムとともに回転し、前記フィルムを支持する軸部材を有し、
前記軸部材は、前記給電部材を兼ね、前記フィルムを介して前記導電性繊維に電圧を印加する
ことを特徴とする請求項１または請求項２に記載の帯電装置。
【請求項４】
前記フィルムの内部に設けられ、前記フィルムとともに回転し、前記フィルムを支持する軸部材を有し、
前記給電部材は、前記フィルムの外部に前記導電性繊維と接するように設けられ、前記導電性繊維に電圧を印加し、回転する
ことを特徴とする請求項１または請求項２に記載の帯電装置。
【請求項５】
前記フィルムの内部に設けられ、前記フィルムとともに回転し、前記フィルムを支持する軸部材を有し、
前記給電部材は、前記フィルムの外部に前記導電性繊維と接するように設けられ、前記導電性繊維に電圧を印加する
ことを特徴とする請求項１または請求項２に記載の帯電装置。
【請求項６】
前記フィルムの外部に設けられ、回転する前記導電性繊維と接し前記フィルムを囲うように支持するフィルム支持ケースを有し、
前記給電部材は、前記フィルム支持ケースに前記導電性繊維と接するように設けられ、前記導電性繊維に電圧を印加する
ことを特徴とする請求項１または請求項２に記載の帯電装置。
【請求項７】
請求項１から請求項６のいずれか１項に記載の帯電装置を有し、供給された記録媒体に画像を形成することを特徴とする画像形成装置。
【発明の詳細な説明】
【技術分野】
【０００１】
本発明は、帯電装置及び画像形成装置に関する。
【背景技術】
【０００２】
複写機、プリンターなどの画像形成装置では、電荷受容体である感光体表面を帯電装置により帯電させ、像光の照射により表面に静電潜像を形成し、現像剤の付着によりこの静電潜像を可視化する。このような画像形成装置の感光体を帯電する帯電装置としては、コロナ放電を利用して感光体を帯電するコロトロン、スコロトロンなどが使用されている。
【０００３】
このコロトロンなどは、感光体等の像担持体を均一に帯電する手段としては有効な装置であるが、表面電位に帯電するためには、高い電圧を印加しなければならず、高圧電源が必要となる。このコロトロンなどに代わる帯電装置として、バイアス電圧を印加した帯電用の無端状のフィルムを用いたものがある（特許文献１、２参照）。
【先行技術文献】
【特許文献】
【０００４】
【特許文献１】特開平０６−１９４９２６号公報
【特許文献２】特開平１０−２３９９４６号公報
【発明の概要】
【発明が解決しようとする課題】
【０００５】
無端状のフィルム上に導電性繊維を静電植毛した帯電装置では、バネ荷重でフィルム内部の軸部材を押し付けることで導電性繊維を寝かせている。静電植毛された導電性繊維は、フィルムとの接着が強固とはいえず、導電性繊維が上記のように押し付けられることで、フィルムから抜けてしまうということが起こり得る。
【０００６】
本発明は、かかる点に鑑みてなされたものであり、無端状のフィルム上に植毛された導電性繊維を感光体に押し付けないようにして、この感光体を帯電し、帯電むらの発生を抑制する帯電装置及び画像形成装置を提供する。
【課題を解決するための手段】
【０００７】
請求項１に記載の発明は、無端状のフィルムと、前記フィルムの表面に導電性繊維が植毛され、前記導電性繊維は、回転する感光体と接触するように配置され、前記感光体の回転と連動して回転し、前記導電性繊維に電圧を印加する給電部材とを有し、前記導電性繊維は、静電吸着力により、前記感光体の表面と接触し、当該接触する領域において前記感光体を帯電し、前記給電部材は、前記導電性繊維と前記感光体の表面との累積接触時間に対応した代用値が所定の代用値未満のときは第１の電圧を印加し、前記代用値が前記所定の代用値以上のときは前記第１の電圧と比較して低い第２の電圧を印加することを特徴とする帯電装置である。
【０００８】
請求項２に記載の発明は、第１の電圧をＶとし、前記導電性繊維の長さをＰ、断面半径をｒ、ヤング率をＥとし、前記感光体と前記導電性繊維の接触している部分の植毛本数をＦ、ニップ幅をＮ、ニップ軸方向長さをＬとし、感光体の誘電率をε’、真空の誘電率をε０、感光体の膜厚をｄ、としたときに、前記第１の電圧Ｖは、以下の数１に示す式を満たすような電圧であることを特徴とする請求項１に記載の帯電装置である。
【０００９】
【数１】
2014021468.tif 000003
【００１０】
請求項３に記載の発明は、前記フィルムの内部に設けられ、前記フィルムとともに回転し、前記フィルムを支持する軸部材を有し、前記軸部材は、前記給電部材を兼ね、前記フィルムを介して前記導電性繊維に電圧を印加することを特徴とする請求項１または請求項２に記載の帯電装置である。
【００１１】
請求項４に記載の発明は、前記フィルムの内部に設けられ、前記フィルムとともに回転し、前記フィルムを支持する軸部材を有し、前記給電部材は、前記フィルムの外部に前記導電性繊維と接するように設けられ、前記導電性繊維に電圧を印加し、回転することを特徴とする請求項１または請求項２に記載の帯電装置である。
【００１２】
請求項５に記載の発明は、前記フィルムの内部に設けられ、前記フィルムとともに回転し、前記フィルムを支持する軸部材を有し、前記給電部材は、前記フィルムの外部に前記導電性繊維と接するように設けられ、前記導電性繊維に電圧を印加することを特徴とする請求項１または請求項２に記載の帯電装置である。
【００１３】
請求項６に記載の発明は、前記フィルムの外部に設けられ、回転する前記導電性繊維と接し前記フィルムを囲うように支持するフィルム支持ケースを有し、前記給電部材は、前記フィルム支持ケースに前記導電性繊維と接するように設けられ、前記導電性繊維に電圧を印加することを特徴とする請求項１または請求項２に記載の帯電装置である。
【００１４】
請求項７に記載の発明は、請求項１から請求項６のいずれか１項に記載の帯電装置を有し、供給された記録媒体に画像を形成することを特徴とする画像形成装置である。
【発明の効果】
【００１５】
請求項１に記載の発明によれば、本構成を有しない場合に比して、帯電むらの抑制が可能な帯電装置を提供できる。
請求項２に記載の発明によれば、第１の電圧を最適な値にすることができる。
請求項３に記載の発明によれば、フィルム支持部の内部に給電部材を設けることで、小型化が可能な構成とすることができる。
請求項４及び請求項５に記載の発明によれば、給電部材を外部に設けることで、簡易な構造とすることができる。
請求項６に記載の発明によれば、無端状のフィルムの外部にフィルム支持部を設けることで、より簡易な構成とすることができる。
請求項７に記載の画像形成装置によれば、請求項１から請求項６のいずれか１項に記載された帯電装置を有していない場合と比して、帯電むらなどによる画質の低下を抑制することができる。
【図面の簡単な説明】
【００１６】
【図１】本発明の帯電装置を用いた画像形成装置の一例を示す概略構成図である。
【図２】実施形態の帯電装置を示す模式図である。
【図３】実施例と参考例の比較の一例を示すテーブルである。
【図４】他の実施形態の帯電装置を示す模式図である。
【発明を実施するための形態】
【００１７】
（実施形態）
以下、本発明の実施形態について図面を参照して説明する。図１は、本発明の帯電装置を用いた画像形成装置の概略構成図である。実施形態の画像形成装置１は、制御部２と、感光体１０、帯電装置２０、露光部３０、現像部４０、転写部５０、定着部６０、クリーニング部７０、用紙収納部８０、及び用紙供給部８１を有し、供給される画像情報に基づいて記録媒体である用紙Ｐに画像を形成する。
【００１８】
制御部２は、ＣＰＵ（Central
Processing Unit）などの演算装置やメモリを備え、画像形成装置１の各構成の動作を制御する。感光体１０は、像を保持するための有機感光材料で形成された感光層を有する円筒状の図１に示す矢印方向に回転する回転体である。
【００１９】
帯電装置２０は、無端状のフィルム２１、フィルム２１の表面に植毛された導電性繊維２２、フィルム２１が回転するようにフィルム２１を支持するとともに、フィルム２１を介して導電性繊維２２に給電する給電部材２３を有する。ここで、給電部材２３は、フィルム２１を支持する軸部材を兼ねている。
帯電装置２０の具体的な実施形態については後述する。
【００２０】
露光部３０は、帯電装置２０で帯電された感光体１０の表面に、入力されたデータに対して処理がされた画像データに応じた光を照射して、電位差に基づく潜像電位からなる静電潜像を形成する。この静電潜像は、感光体１０の回転にともない現像部４０が配置されている位置まで移動する。
【００２１】
現像部４０は、回転する現像ロール４１を有し、この現像ロール４１に吸着されているトナーが感光体１０に移行する。すなわち、このトナーは、感光体１０に形成されている静電潜像と帯電したトナーとの電位差によって、感光体１０の表面に移動する。このようにして感光体１０にトナー像の形成が行われ、このトナー像は、感光体１０の回転にともない転写部５０が配置されている位置まで移動する。
【００２２】
転写部５０は、感光体１０に形成されているトナー像を、搬送ロール９１により搬送されてきた用紙Ｐに対して、静電的に転写する。転写部５０で、トナー像が転写された用紙Ｐは、搬送ロール９１で定着部６０に搬送される。定着部６０では、用紙が加熱ロール９２で、未定着であったトナー像が加圧及び加熱されることで、用紙Ｐにこのトナー像を定着させる。定着部６０で定着された用紙Ｐは、搬送ロール９１で搬送され収容される。
【００２３】
定着部６０は、加熱ロール９２を有し、感光体１０に形成されたトナー像を記録媒体である用紙Ｐに転写する。すなわち、定着部６０は、転写部５０で用紙Ｐに転写されたトナー像に対して、加熱ロール９２で加圧及び加熱を行うことにより、このトナー像を用紙Ｐに定着させる。クリーニング部７０は、用紙Ｐにトナー像が転写された後に、感光体１０の表面に残留するトナーなど除去する。
【００２４】
用紙収納部８０では、複数の記録媒体である用紙Ｐが収納され、また、用紙供給部８１では、手差しで用紙Ｐが供給される。用紙Ｐは、用紙収納部８０又は用紙供給部８１から給紙ロール９０により取り出され、搬送ロール９１によって、転写部５０に搬送される。転写部５０では、この用紙Ｐにトナー像である画像が転写され、定着部６０でこの画像が定着される。図１に示す一点鎖線は、用紙Ｐの搬送経路を示している。実施形態に用いられている画像を形成する対象物の記録媒体は、用紙Ｐであるが、例えば、透明性シート、ＯＨＰシートなどであってもよい。
【００２５】
次に、図２、図３を用いて実施形態の帯電装置２０について説明する。図２（ａ）に示す帯電装置２０は、上記のとおり、フィルム２１、導電性繊維２２及び給電部材２３で構成されている。
【００２６】
フィルム２１は、ベルト状に形成されており、このフィルムの部材は、高分子材料、例えば、ポリエステル、ポリアミド、ポリイミドなどに、カーボンブラックなどの導電性粒子やイオン導電剤を混入することにより形成されている。なお、本実施形態では、フィルム２１は、導電性であるが、後述の他の実施形態においては、カーボンブラックなどの導電性粒子が混入されていない絶縁性のフィルム部材を用いてもよい。
【００２７】
導電性繊維２２は、ナイロンにカーボンを混入した繊維であり、例えば、１０万本／インチ２などの予め定められた間隔で、フィルム２１に静電植毛されている。このようにフィルム２１に静電植毛されている導電性繊維２２は、回転する感光体１０との静電吸着力により感光体１０と接触し、この感光体１０の回転と連動して回転するように配置されている。
【００２８】
導電性繊維２２は、図２（ａ）に示すように、回転する感光体１０の表面との間に生じる静電吸着力により、倒れた状態、すなわち、寝たような状態で接触する領域Ｋを有している。導電性繊維２２は、この接触する領域Ｋおよびその近傍を介して感光体１０を帯電する。
【００２９】
給電部材２３は、フィルム２１の内部に回転可能なように設けられ、このフィルム２１とともに回転し、フィルム２１を支持する。給電部材２３は、導電性繊維２２に電圧を印加する。
【００３０】
給電部材２３は、導電性繊維２２と感光体１０の表面との累積接触時間に対応した代用値が所定の代用値未満のときは第１の電圧を印加し、代用値が所定の代用値以上のときは第１の電圧と比較して低い第２の電圧を印加する機能を有する。
例えば、記録媒体である用紙Ｐの予め定められた用紙使用量を、累積接触時間の代用値として用いることができる。その他、代用値として、感光体１０の累積駆動時間、給電部材が電圧を印加した時間等を用いることができる。
また、給電部材２３に対しては、例えば、制御部２で制御される図示されていない電源から電力が供給される。
【００３１】
次に、図２（ｂ）及び図２（ｃ）を用いて、接触する領域Ｋについて説明する。図２（ｂ）及び（ｃ）は、導電性繊維２２が感光体１０に静電吸着力で接触している状態であり、説明の便宜上、接触する領域Ｋにおける１本の導電性繊維２２の静電吸着状態を示している。図２（ｂ）は、静電吸着が十分ではない状態を示しており、この場合の静電吸着の領域を、接触する領域Ｋａとする。また、図２（ｃ）は、静電吸着が十分な状態を示しており、この場合の静電吸着の領域を、接触する領域Ｋｂとする。
【００３２】
接触する領域Ｋａの状態では、上記のとおり吸着力が不十分であり、導電性繊維２２が寝たような状態になりきっておらず、接触する領域Ｋａが小さく感光体１０への帯電むらを生じる。このような接触する領域Ｋａは、導電性繊維２２と感光体１０の表面との累積接触時間が短く、導電性繊維２２に寝ぐせが十分についていないときに生じる。
【００３３】
一方、接触する領域Ｋｂの状態では、上記のとおり吸着力が十分であり、導電性繊維２２が寝たような状態になっており、接触する領域Ｋｂも十分なものであり感光体１０への帯電むらを抑制する。このような接触する領域Ｋｂは、導電性繊維２２と感光体の表面との累積接触時間が長く、導電性繊維２２の寝ぐせが十分になっているときに生じる。
【００３４】
帯電装置２０は、代用値が所定の代用値未満のときは、上記のような接触する領域Ｋａとならないように、給電部材２３から導電性繊維２２への電圧の印加を、予め定められた第１の電圧となるようにしている。すなわち、帯電装置２０では、給電部材２３から導電性繊維２２への電圧の印加を、予め定められた第１の電圧とし、接触する領域Ｋｂのようにすることで、帯電むらの発生を抑制する。第１の電圧は、接触する領域Ｋｂとなるような電圧とする。
【００３５】
また、代用値が所定の代用値以上のときに、給電部材２３から導電性繊維２２に、第１の電圧を印加しつづけると、導電性繊維２２に寝ぐせがついている状態での電圧の印加となる。このような状態では、この電圧の印加による吸着力が導電性繊維２２の反発力よりも大きくなり、感光体１０を傷つける可能性がある。
【００３６】
このような機能を有する帯電装置２０の動作の一例について、図３を用いて説明する。図３は、本発明の給電部材２３を用いた画像形成装置１の実施例における帯電むらなどの発生と、給電部材２３を用いて印加電圧を固定した場合の参考例１，２における帯電むらなどの発生を示している。
【００３７】
図３に示す用紙使用量は、画像形成装置で画像処理される用紙Ｐの使用枚数であり、累積接触時間の代用値として用いている。この例において、所定の代用値を１０００枚としている。なお、累積接触時間の代用値である用紙使用量は、導電性繊維２２の材質などにも影響を受け、上記の例に限定されない。例えば、実験等によって導電性繊維２２の材質に応じて、帯電むらを評価して決めることができる。
【００３８】
実施例においては、用紙Ｐの使用枚数が１０００枚未満のとき、給電部材２３から導電性繊維２２に対する第１の電圧を−１３００Ｖとし、このときの感光体１０の電位は−８５０Ｖとしている。用紙Ｐの使用枚数が１０００以上、３００００枚までのとき、給電部材２３からの第２の電圧を−９００Ｖとし、感光体１０の電位は−４５０Ｖとしている。このように給電部材２３からの印加電圧を変化させることにより、用紙使用量が所定の枚数未満のときには、電位むらの発生による濃度むらを抑制し、また、用紙使用量が所定の枚数以上のときにおいても、感光体１０に対するスクラッチやフィルミングなどによる画像欠損の発生を抑制する。
【００３９】
一方、参考例１においては、図３に示すように、導電性繊維２２に印加される電圧が−９００Ｖ、感光体電位が−４５０Ｖと固定である場合、初期状態において導電性繊維２２の傾きが十分でなく、初期的な電位むらによる濃度むらが発生する。この場合、用紙使用量が所定の枚数以上のときは導電性繊維２２が傾きやすく、寝ぐせがついている状態であり濃度むらの発生は抑制される。
【００４０】
また、参考例２においては、導電性繊維２２に印加される電圧が−１３００Ｖ、感光体電位が−８５０Ｖと固定である場合、初期状態において印加電圧が高く静電吸着力が大きいことより、導電性繊維２２の傾きが十分で、初期的な電位むらの発生が抑制される。しかし、この場合、用紙使用量が所定の枚数以上のときは導電性繊維２２が傾きやすく寝ぐせがついている状態であるにもかかわらず、印加電圧が高く静電吸着力が大きいという状態が維持されており、上記のとおり、導電性繊維２２が感光体１０の表面をきずつけてしまう。なお、この実施例は、本実施形態の一例であり、印加電圧などの上記の数値はこれに限定されない。
【００４１】
次に、帯電装置２０の第１の電圧の値の設定について、以下の数２及び数３を用いて説明する。数２に示すＶは予め定められた第１の電圧である。また、Ｐは導電性繊維２２の長さ、ｒは導電性繊維２２の断面半径、Ｅは導電性繊維２２のヤング率、Ｆは感光体１０と導電性繊維２２の接触している部分の導電性繊維２２の本数、Ｎはニップ（ＮＩＰ）幅、Ｌはニップ（ＮＩＰ）軸方向長さ、ε’は感光体の誘電率、ε０は真空の誘電率、及び、ｄは感光体１０の膜厚である。上記のＶを、以下の数２に示す式を満たすような値に設定することで、帯電装置２０は、用紙使用量が所定の枚数未満において帯電むらなどの発生を抑制する。
【００４２】
【数２】
2014021468.tif 000004
【００４３】
また、以下の数３は、上記の数２に、次の数値を用いた場合を示している。数３に用いている各数値は、Ｖは−１３００Ｖ、Ｐは０．８ｍｍ、ｒは１６μｍ、Ｅは１８０Ｋｇ／ｍｍ２、Ｆは１００Ｋ／インチ２、Ｎは１ｍｍ、Ｌは２２４ｍｍ、ε’は３．３、ε０は８．８５×１０−１２ｍ−３Ｋｇ-1Ｓ４Ａ２、及び、ｄは２４μｍである。なお、上記の真空の誘電率ε０の数値は周知のものであり説明は省略する。
【００４４】
【数３】
2014021468.tif 000005
【００４５】
上記の数３に示すとおり、初期の電圧を−１３００Ｖにすることで、静電吸着力が１．９３Ｋｇとなる。一方、導電性繊維２２の反発力は、１．１８Ｋｇであり、このように初期の繊維反発力よりも第１の電圧による静電吸着力の方が大きく、例えば、図２（ｃ）に示す接触する領域Ｋｂを有する。
【００４６】
以上が実施形態の帯電装置２０の説明である。このような実施形態によれば、初期においては、導電性繊維２２の寝る方向のくせが十分についていないため、この初期に、大きな静電吸着力となるように印加電圧を高くし、導電性繊維２２を十分寝かせ、寝ぐせをつけるようにする。そして、一定期間過ぎて導電性繊維２２に十分な寝ぐせがついたときに、印加電圧を低くするようにしている。このような構成により、初期において帯電むらを抑制し、また、用紙使用量が所定の枚数以上において感光体１０のスクラッチやフィルミングの発生を抑制する。
【００４７】
また、このような帯電装置２０を用いた画像形成装置１は、感光体１０に対する帯電が安定して行われることにより、転写前の帯電量の調整を不要とし、低コスト化を図れる。また、感光体１０への帯電を安定させることにより、感光体１０と現像部４０との現像ギャップを調整する必要のない構成とし、低コスト化を図れる。
【００４８】
（他の実施形態）
本発明の帯電装置及びこれを用いた画像形成装置は、上記の実施形態に限定されるものではなく、他の実施形態も可能である。以下、図４（ａ）〜（ｃ）を用いて、帯電装置の他の実施形態を説明する。
【００４９】
図４（ａ）に示す帯電装置２０ａは、フィルム２１、導電性繊維２２、軸部材２４、及び、フィルム２１の外部に導電性繊維２２と接するように設けられ、導電性繊維２２に対して電圧を印加する回転可能な給電部材２４ａを有する。
【００５０】
帯電装置２０ａは、帯電装置２０の給電部材２３が、給電部材２４ａとなっている。この給電部材２４ａは、フィルム２１の外部に回転しながら導電性繊維２２と接するように設けられており、この給電部材２４ａから導電性繊維２２に体して直接に電圧が印加される。帯電装置２０ａでは、フィルム２１を絶縁性にしてもよく、この場合、構成が簡易なものとなる。
【００５１】
図４（ｂ）に示す帯電装置２０ｂは、フィルム２１、導電性繊維２２、軸部材２４、及び、フィルム２１の外部に導電性繊維２２と接するように設けられ、導電性繊維２２に対して電圧を印加する給電部材２４ｂを有する。
【００５２】
帯電装置２０ｂは、帯電装置２０の給電部材２３が、給電部材２４ｂとなっている。このように給電部材２４ｂは、フィルム２１の外部に導電性繊維２２と接するように固定して設けられており、この給電部材２４ｂから導電性繊維２２に体して直接に電圧が印加される。帯電装置２０ｂでは、フィルム２１を絶縁性にしてもよく、この場合、構成が簡易なものとなる。
【００５３】
図４（ｃ）に示す帯電装置２０ｃは、フィルム２１、導電性繊維２２、フィルム２１の外部に設けられ、回転する導電性繊維２２と接して、フィルム２１を囲うようにフィルム支持ケース２３ａを有する。また、この帯電装置２０は、フィルム支持ケース２３ａに導電性繊維２２と接するように設けられ、導電性繊維２２に対して電圧を印加する給電部材２４ｃとを有する。
【００５４】
帯電装置２０ｃは、帯電装置２０のフィルムを支持する軸部材を兼ねる給電部材２３がフィルム支持ケース２３ａ、及び、給電部材２３が、給電部材２４ｃとなっている。この給電部材２４ｃは、フィルム２１の外部のフィルム支持ケース２３ａに固定して設けられており、この給電部材２４ｃから導電性繊維２２にたいして直接に電圧が印加される。帯電装置２０ｃでは、フィルム２１を絶縁性にしてもよく、この場合、構成が簡易なものとなる。また、帯電装置２０ｃは、フィルム２１の内部に、給電部材２３を有しない構成であり、より安価なものとなる。
【符号の説明】
【００５５】
１  画像形成装置
２  制御装置
１０  感光体
２０，２０ａ，２０ｂ，２０ｃ  帯電装置
２１  フィルム
２２  導電性繊維
２３  給電部材
２３ａ  フィルム支持ケース
２４  軸部材
２４ａ  給電部材
２４ｂ  給電部材
２４ｃ  給電部材
３０  露光部
４０  現像部
４１  現像ロール
５０  転写部
６０  定着部
７０  クリーニング部
８０  用紙収納部
８１  用紙供給部
９０  給紙ロール
９１  搬送ロール
９２  加熱ロール
Ｋ，Ｋａ，Ｋｂ  接触する領域
Ｐ  用紙
【図１】
2014021468.tif 000007
【図２】
2014021468.tif 000008
【図３】
2014021468.tif 000009
【図４】
2014021468.tif 000010